(57)【要約】【課題】  コントラストが高く、高輝度であって、不要な映り込みのない画像を表示することができ、かつ製造が容易な反射スクリーン及びそれを用いた反射投影システム。【解決手段】  投影画像を反射させて観察可能にする反射スクリーン１であって、スクリーン基板２の前面側に同一形状の多数の凸状の単位形状部３が２次元的に規則的に配置され、凸状の単位形状部３の投影光１１入射方向に向かう一部の表面部分にのみに反射面４が形成されている反射スクリーン。【選択図】        図１
2006215162.tif 000002
【特許請求の範囲】
【請求項１】
投影画像を反射させて観察可能にする反射スクリーンであって、スクリーン基板の前面側に同一形状の多数の凸状の単位形状部が２次元的に規則的に配置され、前記凸状の単位形状部の投影光入射方向に向かう一部の表面部分にのみに反射面が形成されていることを特徴とする反射スクリーン。
【請求項２】
前記反射面以外の前記凸状の単位形状部の表面及び前記スクリーン基板の表面に光吸収層が設けられていることを特徴とする請求項１記載の反射スクリーン。
【請求項３】
前記凸状の単位形状部及び前記スクリーン基板が、光吸収性の樹脂からなることを特徴とする請求項１記載の反射スクリーン。
【請求項４】
前記スクリーン基板の裏面側に光吸収層が形成されていることを特徴とする請求項１記載の反射スクリーン。
【請求項５】
前記凸状の単位形状部各々が凸レンズ形状の一部から形成されていることを特徴とする請求項１から４の何れか１項記載の反射スクリーン。
【請求項６】
前記凸状の単位形状部各々が半月形状の凸状体から形成されていることを特徴とする請求項１から４の何れか１項記載の反射スクリーン。
【請求項７】
前記凸状の単位形状部各々が回転楕円体の略半分の形状から形成されていることを特徴とする請求項１から４の何れか１項記載の反射スクリーン。
【請求項８】
前記凸状の単位形状部各々が円錐状の形状から形成されていることを特徴とする請求項１から４の何れか１項記載の反射スクリーン。
【請求項９】
前記凸状の単位形状部間のピッチとして、予め想定された投影位置からの投影光による隣接する前記単位形状部の影部が一部の他の前記単位形状部の表面に懸かる限界の間隔以下に決めるられていることを特徴とする請求項１から８の何れか１項記載の反射スクリーン。
【請求項１０】
前記凸状の単位形状部間のピッチが１００μｍ〜１０００μｍの範囲にあることを特徴とする請求項１から９の何れか１項記載の反射スクリーン。
【請求項１１】
前記反射スクリーンの前記凸状の単位形状部が設けられた表面に防眩処理、帯電防止処理、ハードコート処理、防汚処理の何れかあるいは複数の処理が施されていることを特徴とする請求項１から１０の何れか１項記載の反射スクリーン。
【請求項１２】
前記反射スクリーンの前記凸状の単位形状部が設けられた表面側が透明保護層で覆われてなることを特徴とする請求項１から１１の何れか１項記載の反射スクリーン。
【請求項１３】
前記透明保護層はプラスチックフィルム、プラスチック板、ガラス板の何れかからなることを特徴とする請求項１２記載の反射スクリーン。
【請求項１４】
前記透明保護層の外側表面には、反射防止作用、防眩作用、帯電防止作用、ハードコート作用、防汚作用、あるいは、着色作用の何れかあるいは複数の作用を持つ単層あるいは多層からなる機能膜が施されていることを特徴とする請求項１２又は１３記載の反射スクリーン。
【請求項１５】
前記反射面が、予め想定された投影位置からの投影光の入射角と略同じ角度から反射性塗料を吹き付けるスプレーコート方法、印刷方法を用いた選択領域に反射性塗料を塗布する方法、又は、リバースダイレクトグラビアコータを用いて前記凸状の単位形状部の偏った一部の表面部分にのみ反射性塗料を塗布する方法の何れかを用いて塗布されていることを特徴とする請求項１から１４の何れか１項記載の反射スクリーン。
【請求項１６】
前記反射面の反射層の厚みが最厚部で５μｍ以上５０μｍ以下であることを特徴とする請求項１から１５の何れか１項記載の反射スクリーン。
【請求項１７】
前記反射面の拡散反射率は４０％以上であることを特徴とする請求項１から１６の何れか１項記載の反射スクリーン。
【請求項１８】
前記反射面には反射光を拡散させるために微細な凹凸が設けられていることを特徴とする請求項１から１７の何れか１項記載の反射スクリーン。
【請求項１９】
巻き上げ機構を持つことを特徴とする請求項１から１８の何れか１項記載の反射スクリーン。
【請求項２０】
請求項１から１９の何れか１項記載の反射スクリーンと、前記反射スクリーンの正面から外れた位置に配置されている投影機とを備えていることを特徴とする反射投影システム。
【発明の詳細な説明】
【技術分野】
【０００１】
本発明は、反射スクリーン及び反射投影システムに関し、特に、前方の投影装置からの映像光を反射面により反射させて観察可能にする反射スクリーンとそれを用いた反射投影システムに関するものである。
【背景技術】
【０００２】
従来、反射投影システムに用いる反射スクリーンとしては、透明シートの前面側に光透過拡散層、背面側に光反射用のリニアフレネルレンズ面を設けたものが知られていた（例えば、特許文献１）。
【０００３】
また、特許文献２には、外光によるコントラストの低下を抑え、好適な視野角を得ることを可能にするために偏心した光反射用のフレネルレンズ面を設けた反射スクリーンが開示されている。
【０００４】
さらに、特許文献３には、レンチキュラーレンズと裏面の直交方向に配列された反射部を設けたリニアフレネルレンズの組み合わせによる反射スクリーンについて記載されている。
【０００５】
しかし、これら従来の反射スクリーンの場合よりよりコントラストの高い画像を得たいという要求、及び、投影側光源の光量が少ない場合であってもできる限り高輝度な画像を得たいという要求があった。また、高輝度な画像が得られた場合であっても、不要な映り込みを排除することは、常に要求されることである。
【０００６】
さらに、上述した従来の反射スクリーンでは、その製造工程が複雑であり、結果として製造コストが高くなるという問題があった。
【０００７】
ところで、主にリアプロジェクションテレビ用にその奥行き方向をより薄くするために、極端な斜め方向から映像を投射して反射スクリーンに投影する投影機が開発され、発売されている。この投影機の技術を応用して、極端に斜め前方向から反射スクリーンに映像を投射するフロントプロジェクタとして利用することが考えられ、この場合、設置スペースを小さくすることが可能となる。
【０００８】
しかし、通常よりも遥かに斜め前方向から映像を投影するため、反射スクリーンで反射した光は、反射スクリーン面に対する投影光の入射角度が大きいことから、大きな反射角度で出射してしまう。したがって、スクリーン面の法線方向付近へは、映像光がほとんど届かなくなってしまう。反射スクリーンは、スクリーン面の法線方向付近から観察される場合が多く、環境光の映り込みと相まって、極端にコントラストを低下させてしまうという問題があった。
【０００９】
特許文献４には、外光の反射を抑え、斜めから投影した映像を高いコントラストで観察させるために、断面鋸歯状の面の一方の斜面だけを反射面とし、他方の斜面を吸収面とした反射スクリーンが記載されている。
【００１０】
しかし、最近の短焦点フロントプロジェクターにおいては、特にスクリーンの左右端付近で上下方向の角度のきつさに加えて、左右方向についても角度が大きく入射するため、画像光は外側に大きく反射してしまい、主にスクリーン正面にいる観察者に有効に光が届かない問題がある。
【００１１】
これを回避するために、反射性斜面を円弧状にする対処もあげられるが、スクリーン左右端に当った光を法線方向に主に反射させるには円弧は半円に近いものにする必要があり、上方からの外光反射率が多くなる、反射層の形成が難しくなる、金型の作製（特に大サイズのスクリーン）が難しい、連続的なシート生産は困難といった課題がある。
【００１２】
特許文献５には、スクリーン裏面に位置に応じて中心軸の傾き角が異なる凸面鏡をアレイ状に配置した反射スクリーンが記載されているが、このような位置に応じて傾き角が異なる凸面鏡を成形する金型の作製が非常に困難である。
【特許文献１】特開平８−２９８７５号公報
【特許文献２】特開平１０−６２８７０号公報
【特許文献３】特開２００２−３１１５０７号公報
【特許文献４】特開平２−２６２１３４号公報
【特許文献５】特開２００３−２２８１３３号公報
【特許文献６】特開２００３−１５６７９９号公報
【非特許文献１】「現場で役立つ印刷用語集」第７２頁（平成１４年３月３１日、（社）日本印刷産業連合会発行）
【発明の開示】
【発明が解決しようとする課題】
【００１３】
本発明は従来技術のこのような状況に鑑みてなされたものであり、その目的は、コントラストが高く、高輝度であって、不要な映り込みのない画像を表示することができ、かつ製造が容易な反射スクリーン及びそれを用いた反射投影システムを提供することである。
【課題を解決するための手段】
【００１４】
上記目的を達成する本発明の反射スクリーンは、投影画像を反射させて観察可能にする反射スクリーンであって、スクリーン基板の前面側に同一形状の多数の凸状の単位形状部が２次元的に規則的に配置され、前記凸状の単位形状部の投影光入射方向に向かう一部の表面部分にのみに反射面が形成されていることを特徴とするものである。
【００１５】
この場合、前記反射面以外の前記凸状の単位形状部の表面及び前記スクリーン基板の表面に光吸収層が設けられているものとすることができる。
【００１６】
あるいは、前記凸状の単位形状部及び前記スクリーン基板が、光吸収性の樹脂からなるようにすることができる。
【００１７】
あるいは、前記スクリーン基板の裏面側に光吸収層が形成されているようにすることができる。
【００１８】
また、前記凸状の単位形状部各々として、凸レンズ形状の一部から形成されているもの、あるいは、半月形状の凸状体から形成されているもの、回転楕円体の略半分の形状から形成されているもの、円錐状の形状から形成されているもの等を用いることができる。
【００１９】
また、前記凸状の単位形状部間のピッチとして、予め想定された投影位置からの投影光による隣接する前記単位形状部の影部が一部の他の前記単位形状部の表面に懸かる限界の間隔以下に決めるられていることが望ましい。
【００２０】
また、前記凸状の単位形状部間のピッチが１００μｍ〜１０００μｍの範囲にあることが望ましい。
【００２１】
また、前記反射スクリーンの前記凸状の単位形状部が設けられた表面に防眩処理、帯電防止処理、ハードコート処理、防汚処理の何れかあるいは複数の処理が施されていることが望ましい。
【００２２】
また、前記反射スクリーンの前記凸状の単位形状部が設けられた表面側が透明保護層で覆われてなるものとすることもできる。
【００２３】
その場合、前記透明保護層はプラスチックフィルム、プラスチック板、ガラス板の何れかからなるものとすることができる。
【００２４】
また、前記透明保護層の外側表面には、反射防止作用、防眩作用、帯電防止作用、ハードコート作用、防汚作用、あるいは、着色作用の何れかあるいは複数の作用を持つ単層あるいは多層からなる機能膜が施されていることが望ましい。
【００２５】
また、前記反射面が、予め想定された投影位置からの投影光の入射角と略同じ角度から反射性塗料を吹き付けるスプレーコート方法、印刷方法を用いた選択領域に反射性塗料を塗布する方法、又は、リバースダイレクトグラビアコータを用いて前記凸状の単位形状部の偏った一部の表面部分にのみ反射性塗料を塗布する方法の何れかを用いて塗布されていることが望ましい。
【００２６】
また、前記反射面の反射層の厚みが最厚部で５μｍ以上５０μｍ以下であることが望ましい。
【００２７】
また、前記反射面の拡散反射率は４０％以上であることが望ましい。
【００２８】
また、前記反射面には反射光を拡散させるために微細な凹凸が設けられていてもよい。
【００２９】
また、巻き上げ機構を持つようにすることが望ましい。
【００３０】
本発明は、以上の何れかの反射スクリーンと、その反射スクリーンの正面から外れた位置に配置されている投影機とを備えている反射投影システムを含むものである。
【発明の効果】
【００３１】
本発明によれば、以下の効果を奏することができる。
（１）凸状の単位形状部に部分的に形成された反射面を有していて、光を選択的に反射する選択反射部を少なくとも一部分に備えているので、外光の映り込みを低減し、コントラストの低減を最小限に抑え、投影機からの映像光を効率的に観察者方向に反射させることができる。
（２）凸状の各単位形状部の反射面は曲面を持つものとなるため、特に焦点距離の短い投影機を用いた場合でも、左右端領域での反射光を制御することができる。
（３）凸状の単位形状部における反射面以外の部分は光吸収性とすることで、不要な外光の反射を抑制することができる。
（４）反射面は光を拡散反射するので、観察者方向に適度な角度分布をもって映像光を反射させることができる。
【発明を実施するための最良の形態】
【００３２】
以下に、本発明の反射スクリーンを実施例に基づいて説明する。
【００３３】
図１は、本発明の反射スクリーン１の１実施形態の模式的な構成を示す正面図（ａ）と、図（ａ）の縦中心線Ａ−Ａ’に沿った断面図（ｂ）である。反射スクリーン１は、基板シート２の表面に規則的に配置された同一形状の多数の単位形状部３を有しており、この実施形態においては、単位形状部３は半球状又は凸レンズ状の凸状体からなり、単位形状部３は図１の場合俵積み状あるいは六方稠密状に配置されているが、縦横碁盤の目状等他の配置形態でもよく、要は２次元的に規則的に配置されている。
【００３４】
そして、各単位形状部３の表面には、その反射スクリーン１が予め想定している使用状態において相対的に配置される投影機（プロジェクタ）の投影位置（射出瞳）１０からの投影光１１が各単位形状部３に当たる位置に反射面４を設けてあり、各単位形状部３の表面のそれ以外の部分５及び基板シート２の露出面６は光吸収性になっている。投影位置１０は、一般に反射スクリーン１に対して偏った位置であるため、反射面４は各単位形状部３の表面の投影位置１０に向いた偏った一部の表面部分にのみ形成される。各単位形状部３の配列のし方と間隔によっては、隣接する各単位形状部３の影部７が一部の単位形状部３の表面に形成されるが、この影部７に反射面４を設けても設けなくてもよい。
【００３５】
各単位形状部３の表面の反射面４以外の部分５、基板シート２の露出面６を光吸収性にするには、基板シート２及びその表面の各単位形状部３を光吸収性（黒色）の樹脂で構成すればよいが、それ以外に反射面４を塗布する前に基板シート２とその表面の各単位形状部３の表面を光吸収性（黒色）の塗膜で覆うようにするか、基板シート２及びその表面の各単位形状部３を透明な樹脂で構成し、各単位形状部３を設けた面と反対側の基板シート２の面（裏面）に光吸収性（黒色）の膜を設けるようにしてもよい。
【００３６】
このような構成にすると、反射スクリーン１の斜め前方の投影位置１０から投影された投影光１１は、各単位形状部３の表面の反射面４で拡散反射光１２として反射スクリーン１の前方の広い投影画像観察位置に拡散反射され、コントラストが高く高輝度であって映り込みのない均一な投影画像が広い観察範囲で観察可能になる。
【００３７】
なお、図１の実施形態では、単位形状部３の投影位置１０に対する位置に応じてその表面に設ける反射面４の形状が異なっているが、全ての単位形状部３における反射面４の位置、形状を同じになるようにしてもよい。その場合は、反射スクリーン１上の全て位置の単位形状部３の表面の反射面４が投影位置１０に向いていて入射する投影光１１を反射スクリーン１前方へ反射（拡散反射）する位置、形状に選ぶ必要がある。図１の場合、例えば単位形状部３の表面の下から３分の２の範囲に反射面４を付着する等。
【００３８】
ここで、単位形状部３の寸法については、径が１００μｍ〜２００μｍ程度が好ましい。また、単位形状部３間の間隔（ピッチ）は、投影画像観察の際に個々の単位形状部３が目立たないようにするために１００μｍ〜１０００μｍの範囲に設定することが望ましい。
【００３９】
ところで、図１の実施形態では個々の単位形状部３は半球状又は凸レンズ状の凸状体からなっていたが、これに限らず、図２（ａ）に正面図、（ｂ）に投影位置１０を通る断面図を示すような球面を投影位置１０に向けている半月形状の凸状体、図３（ａ）に正面図、（ｂ）に同様の断面図を示すような回転楕円体の半分の形状の凸状体、図４（ａ）に正面図、（ｂ）に同様の断面図を示すような円錐状の凸状体であってもよい。図３の回転楕円体の半分の形状の凸状体を単位形状部３とするときには、その回転楕円体の長軸が投影位置１０の方向に対して略直交するように配置することが望ましい。何れの場合も、図１の場合と同様、投影位置１０からの投影光１１（図１）が各単位形状部３に当たる位置に反射面４を設けてあり、各単位形状部３の表面のそれ以外の部分５及び基板シート２の露出面６は光吸収性になっている。
【００４０】
ところで、単位形状部３間の間隔（ピッチ）を決めるに当たり、その反射スクリーン１が予め想定している投影位置１０からの投影光１１による隣接する単位形状部３の影部７が他の一部の単位形状部３の表面に懸かる限界の間隔以下に、すなわち、図１において、投影位置１０から最も遠い単位形状部３に隣接する他の単位形状部３の影部７が接触するか懸かるような間隔以下に決めることが、単位形状部３間の密度を高めて高輝度の反射スクリーンとする上で望ましい。
【００４１】
さて、半球状等の凸状の単位形状部３の面の投影位置１０に向いた偏った一部の表面部分にのみ反射面４を塗布する方法としては、特許文献６に記載されているように、投影位置１０からの投影光の入射角と略同じ角度から反射性（光輝性）塗料を吹き付けるスプレーコート方法がある。さらに、オフセット印刷、スクリーン印刷等の印刷方法を用いて単位形状部３の選択領域に反射性塗料を塗布する方法でもよい。さらには、非特許文献１等においてリバースダイレクトグラビアコータとして知られた、グラビア版とフィルム等の被塗工材料とを直接接触させ、グラビア版の回転方向と被塗工材料の送り方向を反対として、単位形状部３の偏った一部の表面部分にのみ反射性塗料を塗布させる方法でもよい。
【００４２】
ところで、図１のような反射スクリーン１の表面（凸状の単位形状部３が設けられた面）全体に防眩処理（ＡＧ処理）、帯電防止処理、ハードコート処理、防汚処理の何れかあるいは複数の処理を施すことが望ましい。
【００４３】
ここで、防眩処理とは、外光の映り込みを防止するための拡散処理であり、例えば、透明樹脂層に凹凸を設けることで達成でき、透明樹脂中に屈折率がその樹脂に近接した微粒子を混入させて反射スクリーン１の単位形状部３を含む表面に塗布することにより得られる。
【００４４】
また、帯電防止処理とは、静電気の帯電を防止する導電性の層等を塗布することにより得られる。
【００４５】
ハードコート処理は、スクリーン表面に傷が付くことを防止するための強度の高い樹脂等の層を塗布してスクリーンの強度を高めることである。
【００４６】
さらに、防汚処理とは、スクリーン表面に汚れが付くのを防止するための樹脂等の層を塗布することである。
【００４７】
また、図５に示すように、以上のような防眩処理等を施すか施していない反射スクリーン１の表面側を、プラスチックフィルム、プラスチック板、ガラス板等の透明保護層８で覆うようにしてもよい。その場合には、その透明保護層８の外側表面には、反射防止作用、防眩作用、帯電防止作用、ハードコート作用、防汚作用、あるいは、着色作用の何れかあるいは複数の作用を持つ単層あるいは多層からなる機能膜９を施すことが望ましい。
【００４８】
さらに、単位形状部３の表面に設ける反射面４について、その反射面４の反射層の厚みは最厚部で５μｍ以上５０μｍ以下であることが望ましい。
【００４９】
さらに、その反射面４の拡散反射率は４０％以上であることが望ましい。
【００５０】
また、反射面４の反射光を拡散させるために、前記の防眩処理とは別に、単位形状部３の形状を賦形する熱加圧成形ローラ等の表面に例えばサンドブラストで微細な凹凸を設け、成形される単位形状部３の表面に微細な凹凸を形成するようにし、その上に反射面４が塗布されてもその反射面４表面に微細な凹凸が形成されるようにすることが望ましい。
【００５１】
以上のような本発明の反射スクリーン１は、例えば、単位形状部３の形状を賦形する賦形面を持った成形ローラと加圧ローラとの間に熱可塑性樹脂を通して熱加圧成形することにより作製することができる。
【００５２】
なお、本発明の反射スクリーン１において、反射スクリーン１の投影位置１０はその斜め前方の設定されるのが普通であるので、スクリーン面内の輝度分布に不均一が生じる。このような輝度分布の不均一は、例えば透明保護層８に設ける着色層にグラディエーションに付けてその不均一を補償するようにしたり、単位形状部３の表面に塗布する反射面４の面積にその不均一を補償するように面積変調をかけるようにすることで防止することができる。
【００５３】
そして、以上のような本発明の反射スクリーン１は、通常の反射スクリーンと同様に、収納のための巻き上げ機構を持たせることもできる。
【００５４】
以上のように、本発明により、コントラストが高く、高輝度であって外光等の映り込みのない画像を得ることができる反射スクリーン及び反射投影システムを、反射スクリーンの前面に光を選択的に反射する選択反射部を設けることにより、製造が容易な形態で実現することができる。
【００５５】
以下に、本発明の反射スクリーンの実施例を説明する。
【００５６】
〔実施例１〕
実施例１においては、フロントプロジェクターからの映像光がスクリーン下端で法線から２５°、スクリーン中心部で５０°、上端部で６５°となる位置に配置したプロジェクター光源（日本電気（株）製ＷＴ６００）を用いた。
【００５７】
本実施例においては、単位形状部３として図１のような略半球の凸レンズ状体を用いた。その直径は２５０μｍであり、単位形状部３間のピッチは２５０μｍであった。
【００５８】
次に、その単位形状部３表面に反射面４を形成するため、白色マット塗料を斜め方向からスプレー塗布して形成した。使用塗料はアクリル塗料であり、塗料としての反射率は全光線反射率としてＲｔ＝約７６％、拡散反射率Ｒｄ＝６５．８％であった（Ｒｄ成分比≒８７％）。
【００５９】
なお、単位形状部３の凸レンズ状体の形成は、電離放射線硬化樹脂を用いて電離放射線硬化によったが、アクリル樹脂、ＰＥＴ（ポリエチレンテレフタレート）樹脂等を用いた熱溶融押出し成型により行ってもよい。
【００６０】
作製したスクリーンの反射率を実測したデータを図６に示す。このグラフは、プロジェクター光源からのスクリーン中心に入射する入射角を−６０°から＋６０°まで変えた場合の、スクリーン正面方向に対する相対反射強度を測定したものである。グラフにおいて角度がマイナス側は下方から光が入射した場合であり、プラス側はスクリーン上方から光が入射した場合の反射率である。
【００６１】
図６から、反射率が入射角に依存して大きく変化して行くことがわかる。この結果から、プロジェクターからの光は有効に観察者側に反射され、主に上方からの外光は効果的に遮断し、高コントラストなスクリーンとなっていることが分かる。
【００６２】
また、スクリーンの左右端においてもスクリーン法線方向を中心に反射強度が分布することが確認できた。
【００６３】
通常の室内では、照明は、上方に配置されていることが多く、本実施例におけるスクリーンをそのまま用いることにより、照明を点灯した明室であっても、観察される映像光の輝度が高く、コントラストの高い映像を観察することができる。
【００６４】
本実施例によれば、明室においても外光の影響を抑えながら、必要な映像光の反射を行わせることができ、高コントラストの画像を観察することができる。
【００６５】
〔実施例２〕
実施例２においては、実施例１の塗料をより正反射成分の強いものに代えて同様に作製した。その塗料は、帝国インキ製造（株）製ＭＩＲ−９１００ミラーインキを使用した。使用した塗料自身の全光線反射率Ｒｔ＝約６７％、拡散反射率Ｒｄ＝３．５％であった（Ｒｄ成分比≒５％）。
【００６６】
作製したスクリーンの反射率を実施例１の場合と同様に実測したデータを図７に示す。このスクリーンは、簡易的に上下方各４５°からの入射光に対する反射率をそれぞれ測定したところ、各６．８％、６０．０％であり、やはり両者に大きな差が出ていることが分かる。
【００６７】
通常の室内では、照明は、上方に配置されていることが多く、本実施例におけるスクリーンをそのまま用いることにより、照明を点灯した明室であっても、観察される映像光の輝度が高く、コントラストの高い映像を観察することができる。
【００６８】
本実施例によれば、明室においても外光の影響を抑えながら、必要な映像光の反射を行わせることができ、高コントラストの画像を観察することができる。
【図面の簡単な説明】
【００６９】
【図１】本発明の反射スクリーンの１実施形態の模式的な構成を示す正面図（ａ）と断面図（ｂ）である。
【図２】単位形状部の他の例を示す正面図（ａ）と断面図（ｂ）である。
【図３】単位形状部の別の例を示す正面図（ａ）と断面図（ｂ）である。
【図４】単位形状部のさらに別の例を示す正面図（ａ）と断面図（ｂ）である。
【図５】反射スクリーンの表面側を透明保護層で覆う形態の断面図である。
【図６】実施例１のスクリーンの反射率を実測したデータを示す図である。
【図７】実施例２のスクリーンの反射率を実測したデータを示す図である。
【符号の説明】
【００７０】
１…反射スクリーン
２…基板シート
３…単位形状部
４…反射面
５…単位形状部の表面の反射面以外の部分
６…基板シートの露出面
７…影部
８…透明保護層
９…機能膜
１０…投影位置（射出瞳）
１１…投影光
１２…拡散反射光
【図１】
2006215162.tif 000003
【図２】
2006215162.tif 000004
【図３】
2006215162.tif 000005
【図４】
2006215162.tif 000006
【図５】
2006215162.tif 000007
【図６】
2006215162.tif 000008
【図７】
2006215162.tif 000009